(57)【要約】【課題】使い勝手の良い車用底面洗浄機セットを提供する。【解決手段】車両の底面下の平面上を走行可能とする走行回転体１０と底面に向けて洗浄水を噴射する洗浄手段５とを有する洗浄ヘッド１と、先端に洗浄ヘッド１を取着すると共に基端のグリップ部６から洗浄水を供給する配管機能と洗浄ヘッド１の動きを制御する操作機能とを兼ね備えた長柄部材２と、を備え、走行回転体１０が異なる複数種類の洗浄ヘッド１Ａ，１Ｂと、形状が異なる複数種類の長柄部材２Ａ，２Ｂと、を組み合わせ自在としている。【選択図】図１
2010285031.tif 000002
【特許請求の範囲】
【請求項１】
車両（Ｖ）の底面（Ｕ）下の平面上を走行可能とする走行回転体（１０）と該底面（Ｕ）に向けて洗浄水を噴射する洗浄手段（５）とを有する洗浄ヘッド（１）と、先端に該洗浄ヘッド（１）を取着すると共に基端のグリップ部（６）から上記洗浄水を供給する配管機能と上記洗浄ヘッド（１）の動きを制御する操作機能とを兼ね備えた長柄部材（２）と、を備え、
上記走行回転体（１０）が異なる複数種類の上記洗浄ヘッド（１Ａ）（１Ｂ）と、形状が異なる複数種類の上記長柄部材（２Ａ）（２Ｂ）と、を組み合わせ自在としたことを特徴とする車用底面洗浄機セット。
【請求項２】
複数種類の上記洗浄ヘッド（１Ａ）（１Ｂ）の内の少なくとも一つは、平面上を前後左右斜め方向に走行自在な走行回転体（１０）を有する請求項１記載の車用底面洗浄機セット。
【請求項３】
複数種類の上記長柄部材（２Ａ）（２Ｂ）の内の少なくとも一つは、人（Ｍ）が立姿勢にて操作可能な高位置に配設された上記グリップ部（６）を有する請求項１記載の車用底面洗浄機セット。
【請求項４】
車両（Ｖ）の底面（Ｕ）下の平面上を前後左右斜め方向に走行自在とする走行回転体（１０）と、上記底面（Ｕ）に向けて洗浄水を噴射する洗浄手段（５）と、を有する洗浄ヘッド（１Ａ）を具備することを特徴とする車用底面洗浄機。
【請求項５】
車両（Ｖ）の底面（Ｕ）下の平面上を走行回転体（１０）にて走行しつつ該底面（Ｕ）に向けて洗浄水を噴射する洗浄手段（５）を有する洗浄ヘッド（１）を備え、
先端に上記洗浄ヘッド（１）を取着して基端のグリップ部（６）から上記洗浄水を供給すると共に上記車両（Ｖ）の底面（Ｕ）下に侵入可能な高さ寸法（Ｈ２０）の前半水平配管部（２０）と、基端の上記グリップ部（６）を人（Ｍ）が立姿勢にて操作可能な高さ寸法（Ｈ２１）とすると共に上記前半水平配管部（２０）の基端と上記グリップ部（６）とを結ぶ後半傾斜配管部（２１）とを、有する長柄部材（２Ａ）を具備することを特徴とする車用底面洗浄機。
【請求項６】
上記長柄部材（２Ａ）は、上記前半水平配管部（２０）の基端側と上記後半傾斜配管部（２１）の先端側との連結部（２２）に転動自在の支持ローラ（７）（７）を備える請求項５記載の車用底面洗浄機。
【請求項７】
上記前半水平配管部（２０）は、長さ寸法（Ｌ２０）を、洗浄対象である上記車両（Ｖ）の幅寸法（Ｗ）の半分より長く、かつ、車両（Ｖ）の幅寸法（Ｗ）より短くなるように設定した請求項５記載の車用底面洗浄機。
【請求項８】
車両（Ｖ）の底面（Ｕ）下の平面上を走行回転体（１０）にて走行しつつ該底面（Ｕ）に向けて洗浄水を噴射する洗浄手段（５）を有する洗浄ヘッド（１）と、先端に該洗浄ヘッド（１）を取着すると共に基端のグリップ部（６）から上記洗浄水を供給する配管機能と上記洗浄ヘッド（１）の動きを制御する操作機能とを兼ね備えた長柄部材（２）と、を備えた車用底面洗浄機であって、
上記洗浄ヘッド（１）に着脱自在に取着されて雪面（Ｉ）上を滑動可能とする滑動板部材（３）を有することを特徴とする車用底面洗浄機。
【請求項９】
上記走行回転体（１０）は、転動自在かつ水平旋回自在として平面上を前後左右斜め方向に走行自在な転動体（１２）（１２）から成る請求項５，６，７又は８記載の車用底面洗浄機。
【請求項１０】
上記走行回転体（１０）は、前後方向に走行自在な車輪（１３）（１３）から成る請求項５，６，７又は８記載の車用底面洗浄機。
【発明の詳細な説明】
【技術分野】
【０００１】
本発明は、車両の底面を洗浄する車用底面洗浄機に関する。
【背景技術】
【０００２】
例えば、自動車等の車両の底面に付着した泥や雪、凍結防止剤等を洗浄するには、底面に向けて洗浄水を噴射する洗浄ノズルを有する洗浄機が用いられてきた。従来の洗浄機としては、洗浄水を噴射する洗浄ノズルを備えた洗浄ヘッドに車輪を設けて走行可能とした底面洗浄機が提案されている（特許文献１参照）。
【先行技術文献】
【特許文献】
【０００３】
【特許文献１】特開２００４−１４８３０３号公報
【発明の概要】
【発明が解決しようとする課題】
【０００４】
しかし、従来の底面洗浄機は、車両の底面下の床面上を洗浄ヘッドが前後に走行する構成であったため、車両の広い底面を洗浄するのに時間がかかった。
また、従来の底面洗浄機は、車輪によって走行するため、雪上ではスムーズに走行できないため、雪上での洗浄作業には使用できなかった。このため、雪上での洗浄作業に於ては、ジャッキで車両を上昇させる必要が生じ、非常に危険であり事故の原因となる虞れがあった。
【０００５】
そこで、本発明は、使い勝手の良い車用底面洗浄機及びそのセットを提供することを目的とする。
【課題を解決するための手段】
【０００６】
そこで、本発明に係る車用底面洗浄機セットは、車両の底面下の平面上を走行可能とする走行回転体と該底面に向けて洗浄水を噴射する洗浄手段とを有する洗浄ヘッドと、先端に該洗浄ヘッドを取着すると共に基端のグリップ部から上記洗浄水を供給する配管機能と上記洗浄ヘッドの動きを制御する操作機能とを兼ね備えた長柄部材と、を備え、上記走行回転体が異なる複数種類の上記洗浄ヘッドと、形状が異なる複数種類の上記長柄部材と、を組み合わせ自在としたものである。
【０００７】
また、複数種類の上記洗浄ヘッドの内の少なくとも一つは、平面上を前後左右斜め方向に走行自在な走行手段を有するものである。
また、複数種類の上記長柄部材の内の少なくとも一つは、人が立姿勢にて操作可能な高位置に配設された上記グリップ部を有するものである。
【０００８】
また、本発明に係る車用底面洗浄機は、車両の底面下の平面上を前後左右斜め方向に走行自在とする走行回転体と、上記底面に向けて洗浄水を噴射する洗浄手段と、を有する洗浄ヘッドを具備するものである。
【０００９】
また、車両の底面下の平面上を走行回転体にて走行しつつ該底面に向けて洗浄水を噴射する洗浄手段を有する洗浄ヘッドを備え、先端に上記洗浄ヘッドを取着して基端のグリップ部から上記洗浄水を供給すると共に上記車両の底面下に侵入可能な高さ寸法の前半水平配管部と、基端の上記グリップ部を人が立姿勢にて操作可能な高さ寸法とすると共に上記前半水平配管部の基端と上記グリップ部とを結ぶ後半傾斜配管部とを、有する長柄部材を具備するものである。
【００１０】
また、上記長柄部材は、上記前半水平配管部の基端側と上記後半傾斜配管部の先端側との連結部に転動自在の支持ローラを備えるものである。
また、上記前半水平配管部の長さ寸法は、洗浄対象である上記車両の幅寸法の半分より長く、かつ、車両の幅寸法より短くなるように設定したものである。
【００１１】
また、車両の底面下の平面上を走行回転体にて走行しつつ該底面に向けて洗浄水を噴射する洗浄手段を有する洗浄ヘッドと、先端に該洗浄ヘッドを取着すると共に基端のグリップ部から上記洗浄水を供給する配管機能と上記洗浄ヘッドの動きを制御する操作機能とを兼ね備えた長柄部材と、を備えた車用底面洗浄機であって、上記洗浄ヘッドに着脱自在に取着されて雪面上を滑動可能とする滑動板部材を有するものである。
【００１２】
また、走行回転体は、転動自在かつ水平旋回自在として平面上を前後左右斜め方向に走行自在な転動体から成るものである。
また、走行回転体は、前後方向に走行自在な車輪から成るものである。
【発明の効果】
【００１３】
本発明の車用底面洗浄機セットによれば、洗浄ヘッドと長柄部材を任意に組み合わせて使用でき、車両の底面下の平面の状況により、あるいは、車両の種類や汚れ具合又は作業者の体格等に応じて使い分けが可能となる。
【００１４】
また、本発明の車用底面洗浄機によれば、洗浄ヘッドが前後左右斜め方向へ走行可能であるため、洗浄箇所へ素早く移動して洗浄水を当てることができ、洗浄作業を能率よく行える。
【００１５】
また、作業を行なう人が腰をかがめることなく、楽な姿勢で洗浄作業を行なうことができる。
【００１６】
また、路面上または雪面上での使用が可能となり、危険を伴う雪上でのジャッキアップが不要であるため、洗浄作業が安全かつ円滑に行える。
【図面の簡単な説明】
【００１７】
【図１】本発明の車用底面洗浄機セットの実施の一形態を示した斜視図である。
【図２】車用底面洗浄機の編成例を示した斜視図である。
【図３】車用底面洗浄機の編成例を示した側面図である。
【図４】車用底面洗浄機の接続手段を示した側面図である。
【図５】洗浄ヘッドの一例を示した図であり、（ａ）は正面図であり、（ｂ）は一部破断側面図であり、（ｃ）は平面図であり、（ｄ）は底面図である。
【図６】車用底面洗浄機の他の編成例を示した斜視図である。
【図７】車用底面洗浄機の他の編成例を示した側面図である。
【図８】洗浄ヘッドの他の例を示した図であり、（ａ）は正面図であり、（ｂ）は一部破断側面図であり、（ｃ）は平面図であり、（ｄ）は底面図である。
【図９】滑動板部材を示した斜視図である。
【図１０】車用底面洗浄機の使用例を示した説明用底面図である。
【図１１】車用底面洗浄機の使用例を示した説明用側面図である。
【図１２】車用底面洗浄機の使用状態の一例を示した斜視図である。
【図１３】車用底面洗浄機の他の使用状態を示した斜視図である。
【図１４】滑動板部材の使用状態を示した作用説明図あり、（ａ）は正面図であり、（ｂ）は側面図である。
【図１５】滑動板部材の使用状態を示した作用説明図あり、（ａ）は正面図であり、（ｂ）は側面図である。
【図１６】車用底面洗浄機の他の接続手段を示した側面図である。
【図１７】走行回転体の他の例を示す断面図である。
【発明を実施するための形態】
【００１８】
以下、実施の形態を示す図面に基づき本発明を詳説する。
本発明の車用底面洗浄機は、図１１及び図１２又は図１３に示すように、人Ｍに操作されて使用され、自動車等の車両Ｖの底面Ｕを洗浄するものであって、洗浄水を噴射する洗浄手段５を有する洗浄ヘッド１を備え、また、先端に洗浄ヘッド１を取着し基端のグリップ部６から洗浄水を供給する配管機能と、基端のグリップ部６を操作して先端に取付けた洗浄ヘッド１の動きを制御する操作機能と、を兼ね備えた長柄部材２を備えている。
そして、本発明の実施の一形態としては、図１に示すように、前後左右斜め方向に走行自在の自由走行用洗浄ヘッド１Ａならびに前後方向に走行自在の前後走行用洗浄ヘッド１Ｂの２種類の洗浄ヘッド１、及び、基端のグリップ部６が高位置に配設された高姿勢用長柄部材２Ａならびに低位置に配設された低姿勢用長柄部材２Ｂの２種類の長柄部材２を、備えた車用底面洗浄機セットとして構成されている。
【００１９】
まず、図２に示すように、車用底面洗浄機セットの洗浄ヘッド１の内の一つである自由走行用洗浄ヘッド１Ａと、車用底面洗浄機セットの長柄部材２の内の一つである低姿勢用長柄部材２Ｂと、を組み合わせて自由走行・低姿勢用の車用底面洗浄機Ｃを編成する。
自由走行・低姿勢用の車用底面洗浄機Ｃは、接続手段４によって、低姿勢用長柄部材２Ｂに自由走行用洗浄ヘッド１Ａを着脱自在に取着している。具体的には、図４に示すように、低姿勢用長柄部材２Ｂの先端にワンタッチ管継手部材２５を取付けて、自由走行用洗浄ヘッド１Ａから突設する接続管部１６を管継手部材２５に挿入して係止している。
【００２０】
図３に示すように、自由走行・低姿勢用の車用底面洗浄機Ｃは、先端の自由走行用洗浄ヘッド１Ａの高さ寸法Ｈ１及び低姿勢用長柄部材２Ｂの先端寄りの前半水平配管部２０の高さ寸法Ｈ２０を、車両Ｖの底面Ｕの高さ寸法ＨＵよりも低く設定している。従って、自由走行用洗浄ヘッド１Ａ及び前半水平配管部２０は、車両Ｖの底面Ｕの下に侵入可能としている。低姿勢用長柄部材２Ｂの基端には、グリップ部６が設けられている。低姿勢用長柄部材２Ｂは、前半水平配管部２０とグリップ部６とを連結する後半傾斜配管部２１を有している。後半傾斜配管部２１の高さ寸法Ｈ２１は、人Ｍの膝Ｎの位置よりも低く設定されている。また、後半傾斜配管部２１は、基端寄りに持ち手２４を有している。
グリップ部６は、図示省略の蛇口にホースにて接続される導入部２３を有している。また、グリップ部６は、人Ｍに把持されて自由走行用洗浄ヘッド１Ａの動きを制御可能とする操作部６ｂを有し、操作部６ｂを把持しつつ洗浄ヘッド１に供給する洗浄水の流量を調節可能とした調節部６ａを有している。
図１０に示すように、前半水平配管部２０の長さ寸法Ｌ２０は、車両Ｖの幅寸法Ｗの半分より長く、かつ、車両Ｖの幅寸法Ｗより短くなるように設定している。
【００２１】
図２、図３、及び、図５に示すように、自由走行用洗浄ヘッド１Ａは、走行回転体１０と洗浄手段５とを有している。
自由走行用洗浄ヘッド１Ａの走行回転体１０は、平面上を前後左右斜め方向に走行自在な転動体１２，１２から成る。
転動体１２は、転動軸心Ｒ１廻りに転動自在な走行ローラー１７を旋回軸心Ｓ１廻りに旋回自在として保持する旋回取付部１８から成り、自由走行用洗浄ヘッド１Ａのケーシング１４下部に取付けられて、自由走行用洗浄ヘッド１Ａを前後左右斜め方向に走行自在としつつ支持している。
洗浄手段５は、ケーシング１４に上方開口状に貫設された噴射窓部１５から洗浄水を連続して噴射可能な回転ノズル８，８を有している。回転ノズル８は、噴射口８ａを回動させつつ洗浄水を噴射するように構成されている。
【００２２】
また、自由走行用洗浄ヘッド１Ａは、短管状の接続管部１６を、ケーシング１４の後方に突設している。接続管部１６の開口孔部１６ａは、回転ノズル８と連通して形成されている。
さらに、自由走行用洗浄ヘッド１Ａは、左右一対の小突起１１，１１を、ケーシング１４の左右両端面から突出している。
なお、図１７に示すように、転動体１２は、回転自在の球体４０を有し、球体４０を保持するベアリング小球４１…を備えた保持カバー部４２によって、自由走行用洗浄ヘッド１Ａのケーシング１４下部に取付けられる構造とするもよい。
【００２３】
次に、図６に示すように、車用底面洗浄機セットの洗浄ヘッド１の内の一つである前後走行用洗浄ヘッド１Ｂと、車用底面洗浄機セットの長柄部材２の内の一つである高姿勢用長柄部材２Ａと、を組み合わせて前後走行・高姿勢用の車用底面洗浄機Ｃを編成する。
前後走行・高姿勢用の車用底面洗浄機Ｃは、高姿勢用長柄部材２Ａに前後走行用洗浄ヘッド１Ｂを着脱自在に取着するための接続手段４を設けている。具体的には、図４に示すように、高姿勢用長柄部材２Ａの先端にワンタッチ管継手部材２５を取付けて、前後走行用洗浄ヘッド１Ｂの接続管部１６を、管継手部材２５に挿入して係止している。
【００２４】
図７に示すように、前後走行・高姿勢用の車用底面洗浄機Ｃは、先端の前後走行用洗浄ヘッド１Ｂの高さ寸法Ｈ１及び高姿勢用長柄部材２Ａの先端寄りの前半水平配管部２０の高さ寸法Ｈ２０を、車両Ｖの底面Ｕの高さ寸法ＨＵよりも低く設定している。従って、前後走行用洗浄ヘッド１Ｂ及び前半水平配管部２０は、車両Ｖの底面Ｕの下に侵入可能としている。高姿勢用長柄部材２Ａの基端には、グリップ部６が設けられている。高姿勢用長柄部材２Ａは、前半水平配管部２０とグリップ部６とを連結する後半傾斜配管部２１を有している。後半傾斜配管部２１の高さ寸法Ｈ２１は、人Ｍが立姿勢にてグリップ部６を操作可能となるように設定されている。高姿勢用長柄部材２Ａは、前半水平配管部２０の基端側と後半傾斜配管部２１の先端側を結ぶ連結部２２に、転動自在の支持ローラ７，７を備えている。
【００２５】
グリップ部６は、図示省略の蛇口にホースにて接続される導入部２３を有している。人Ｍに把持されて自由走行用洗浄ヘッド１Ａの動きを制御可能とする操作部６ｂを有し、操作部６ｂを把持しつつ水源からの洗浄水を調節可能とした調節部６ａを有している。後半傾斜配管部２１は、グリップ部６寄りに持ち手２４を有している。
また、図１０に示すように、前半水平配管部２０の長さ寸法Ｌ２０は、車両Ｖの幅寸法Ｗの半分より長く、かつ、車両Ｖの幅寸法Ｗより短くなるように設定している。
【００２６】
図８に示すように、前後走行用洗浄ヘッド１Ｂは、走行回転体１０と洗浄手段５とを有している。
走行回転体１０は、左右一対の車輪１３，１３から成る。車輪１３は、枢着軸心Ｒ２廻りに回転自在として、ケーシング１４に枢着され、前後走行用洗浄ヘッド１Ｂを前後方向に走行自在としつつ支持している。
洗浄手段５は、ケーシング１４に上方開口状に貫設された噴射窓部１５から洗浄水を連続して噴射可能な回転ノズル８，８を有している。回転ノズル８は、噴射口８ａを回動させつつ洗浄水を噴射するように構成されている。
【００２７】
また、前後走行用洗浄ヘッド１Ｂは、短管状の接続管部１６を、ケーシング１４の後方に突設している。接続管部１６の開口孔部１６ａは、回転ノズル８と連通して形成されている。
さらに、前後走行用洗浄ヘッド１Ｂは、左右一対の小突起１１，１１を、ケーシング１４の左右両端面から突出して有している。
【００２８】
図９は、車用底面洗浄機Ｃの洗浄ヘッド１に装着する滑動板部材３を示した図である。
滑動板部材３は、一枚の金属板を成形して成るソリであって、平坦な滑動板部３２を中央に有し、前端を反り返りノーズ部３３とし、後端を反り返りテール部３４としている。滑動板部３２の左右両端縁に、弾発揺動片３０，３０を立設している。弾発揺動片３０，３０は、滑動板部３２に対して垂設され、左右方向の揺動に対して、垂直姿勢に復元する弾発力を有する。弾発揺動片３０，３０は、自由走行用洗浄ヘッド１Ａ及び前後走行用洗浄ヘッド１Ｂの小突起１１，１１に対応する孔３１，３１を貫設している。滑動板部材３は、小突起１１，１１を孔３１，３１に挿入し、弾発揺動片３０，３０の弾発力を利用して係合状態を保持しており、車用底面洗浄機Ｃの洗浄ヘッド１に対して着脱自在に取着される。
【００２９】
上述した本発明の車用底面洗浄機セットの使用方法（作用）について説明する。
図１１に示すように、車用底面洗浄機セットの構成要素である洗浄ヘッド１と長柄部材２を組み合わせて編成される車用底面洗浄機Ｃは、車両Ｖの底面Ｕ下に洗浄ヘッド１を侵入させて、底面Ｕを洗浄する。洗浄ヘッド１は、車用底面洗浄機Ｃを操作する人Ｍによって動きを制御されて、底面Ｕ下の路面上を走行し、基端のグリップ部６から供給された洗浄水を底面Ｕに向けて噴射して、底面Ｕに付着した泥等の汚れを除去する。
【００３０】
図１２に示すように、自由走行用洗浄ヘッド１Ａと低姿勢用長柄部材２Ｂとを組み合わせて編成した自由走行・低姿勢用の車用底面洗浄機Ｃは、人Ｍが姿勢を低くしてグリップ部６を操作し、自由走行用洗浄ヘッド１Ａの走行位置を目視にて確認しつつ前後左右斜め方向に走行させて洗浄を行なう。人Ｍは、グリップ部６の調節部６ａを操作して、洗浄水の噴射を調節し、操作部６ｂと持ち手２４により、自由走行用洗浄ヘッド１Ａの走行を確実に制御する。このようにして、自由走行用洗浄ヘッド１Ａは、所望の洗浄箇所に最短距離で移動すると共に確実に洗浄水を命中させることが可能となる。
また、車用底面洗浄機Ｃは、低姿勢用長柄部材２Ｂの前半水平配管部２０の長さ寸法Ｌ２０を、車両Ｖの幅寸法Ｗの半分より長く、かつ、車両Ｖの幅寸法Ｗより短くなるように設定しているため、底面Ｕ全面を洗浄することが可能である（図１０参照）。
【００３１】
図１３に示すように、前後走行用洗浄ヘッド１Ｂと高姿勢用長柄部材２Ａとを組み合わせて編成した前後走行・高姿勢用の車用底面洗浄機Ｃは、人Ｍが立姿勢にてグリップ部６を操作し、前後走行用洗浄ヘッド１Ｂを前後方向に走行させて洗浄を行なう。人Ｍは、グリップ部６の調節部６ａを操作して、洗浄水の噴射を調節し、操作部６ｂと持ち手２４により、前後走行用洗浄ヘッド１Ｂの走行を確実に制御する。この際、支持ローラ７，７は、路面上で転動しつつ車用底面洗浄機Ｃの荷重を支える支点となり、高位置にて操作される操作部６ｂ及び持ち手２４に与えられる操作力を、先端の前後走行用洗浄ヘッド１Ｂに確実に伝達して作用させる。よって、前後走行用洗浄ヘッド１Ｂは、安定して直線走行する。また、前後走行用洗浄ヘッド１Ｂは、車輪１３，１３から成る走行回転体１０を有しているため、凹凸のある場合や傾斜した路面上を直線走行する。
また、車用底面洗浄機Ｃは、高姿勢用長柄部材２Ａの前半水平配管部２０の長さ寸法Ｌ２０を、車両Ｖの幅寸法Ｗの半分より長く、かつ、車両Ｖの幅寸法Ｗより短くなるように設定しているため、底面Ｕ全面を洗浄することが可能である（図１０参照）。
【００３２】
自由走行・低姿勢用の車用底面洗浄機Ｃは、自由走行用洗浄ヘッド１Ａを取り外し、前後走行用洗浄ヘッド１Ｂを管継手部材２５に取着して、前後走行・低姿勢用の車用底面洗浄機Ｃとして使用することが可能である。また、前後走行・高姿勢用の車用底面洗浄機Ｃについても同様に、自由走行用洗浄ヘッド１Ａを、前後走行用洗浄ヘッド１Ｂに交換することが可能である。
つまり、車用底面洗浄機セットは、洗浄ヘッド１と長柄部材２とを組み合わせ自在に連結し、使用状況に応じて操作性の異なる複数種類の車用底面洗浄機Ｃを編成する。
【００３３】
また、車用底面洗浄機Ｃの洗浄ヘッド１を、凍結した雪面Ｉ上を走行させ、車両Ｖの底面Ｕを洗浄することも可能である。
図１４及び図１５に示すように、滑動板部材３は、洗浄ヘッド１の下面に取付けられて、走行回転体１０を雪面Ｉに接触することなく、洗浄ヘッド１を支持する。滑動板部材３の滑動板部３２は、雪面Ｉ上で滑動し、洗浄ヘッド１をスムーズに走行させる。
よって、滑動板部材３を有する車用底面洗浄機Ｃは、上述の使用方法と同様に、洗浄ヘッド１を車両Ｖの底面Ｕ下の雪面Ｉ上で走行させて、底面Ｕを洗浄する。
【００３４】
なお、本発明は、設計変更可能であって、例えば、図１６に示すように、車用底面洗浄機の接続手段４は、洗浄ヘッド１に設けられた雌ねじ孔１９に、長柄部材２の先端に設けられた雄ねじ部２６を、螺合して接続するものであってもよい。
【００３５】
次に、本発明は、上述した車用底面洗浄機セットとして構成せずに、例えば、図２及び図６に示した自由走行・低姿勢用の車用底面洗浄機Ｃ又は前後走行・高姿勢用の車用底面洗浄機Ｃの内の任意の１種類のみをもって構成することも好ましい
【００３６】
以上のように、本発明の車用底面洗浄機セットは、車両Ｖの底面Ｕ下の平面上を走行可能とする走行回転体１０と底面Ｕに向けて洗浄水を噴射する洗浄手段５とを有する洗浄ヘッド１と、先端に洗浄ヘッド１を取着すると共に基端のグリップ部６から洗浄水を供給する配管機能と洗浄ヘッド１の動きを制御する操作機能とを兼ね備えた長柄部材２と、を備え、走行回転体１０が異なる複数種類の洗浄ヘッド１Ａ，１Ｂと、形状が異なる複数種類の長柄部材２Ａ，２Ｂと、を組み合わせ自在としたので、操作性の異なる複数種類の車用底面洗浄機Ｃを得ることができ、車両Ｖの底面Ｕ下の路面状況に応じて、洗浄ヘッド１を選択して使用することができる。また、洗浄作業を行なう人Ｍが立姿勢または低姿勢での使用を選択することができ、多種多様な使い分けが可能となる。
【００３７】
また、複数種類の洗浄ヘッド１Ａ，１Ｂの内の少なくとも一つは、平面上を前後左右斜め方向に走行自在な走行回転体１０を有するので、洗浄ヘッド１を素早く移動して底面Ｕに洗浄水を当てることができる。
また、複数種類の長柄部材２Ａ，２Ｂの内の少なくとも一つは、人Ｍが立姿勢にて操作可能な高位置に配設されたグリップ部６を有するので、腰をかがめることなく、楽な姿勢で車両Ｖの底面Ｕの洗浄を行なうことができる。
【００３８】
また、本発明の車用底面洗浄機は、車両Ｖの底面Ｕ下の平面上を前後左右斜め方向に走行自在とする走行回転体１０と、底面Ｕに向けて洗浄水を噴射する洗浄手段５と、を備えた洗浄ヘッド１Ａを具備するので、洗浄ヘッド１が前後左右斜め方向へ走行可能であるため、洗浄箇所へ素早く移動して車両Ｖの底面Ｕに洗浄水を当てることができる。
【００３９】
また、車両Ｖの底面Ｕ下の平面上を走行回転体１０にて走行しつつ底面Ｕに向けて洗浄水を噴射する洗浄手段５を有する洗浄ヘッド１を備え、先端に洗浄ヘッド１を取着して基端のグリップ部６から洗浄水を供給すると共に車両Ｖの底面Ｕ下に侵入可能な高さ寸法Ｈ２０の前半水平配管部２０と、基端のグリップ部６を人Ｍが立姿勢にて操作可能な高さ寸法Ｈ２１とすると共に前半水平配管部２０の基端とグリップ部６とを結ぶ後半傾斜配管部２１とを、有する長柄部材２Ａを具備するので、作業を行なう人Ｍが腰をかがめることなく、楽な姿勢で車両Ｖの底面Ｕの洗浄を行なうことができる。
【００４０】
また、長柄部材２Ａは、前半水平配管部２０の基端側と後半傾斜配管部２１の先端側との連結部２２に転動自在の支持ローラ７，７を備えるので、人Ｍが立姿勢にて高さ寸法Ｈ２１に配設されたグリップ部６を操作する際に、洗浄ヘッド１の動きを確実に制御でき、安定して走行させることができる。
また、前半水平配管部２０は、長さ寸法Ｌ２０を、洗浄対象である車両Ｖの幅寸法Ｗの半分より長く、かつ、車両Ｖの幅寸法Ｗより短くなるように設定したので、車両Ｖの底面Ｕ全面を洗浄できる。
【００４１】
また、車両Ｖの底面Ｕ下の平面上を走行回転体１０にて走行しつつ底面Ｕに向けて洗浄水を噴射する洗浄手段５を有する洗浄ヘッド１と、先端に洗浄ヘッド１を取着すると共に基端のグリップ部６から洗浄水を供給する配管機能と洗浄ヘッド１の動きを制御する操作機能とを兼ね備えた長柄部材２と、を備えた車用底面洗浄機であって、洗浄ヘッド１に着脱自在に取着されて雪面Ｉ上を滑動可能とする滑動板部材３を有するので、路面上または雪面Ｉ上で車用底面洗浄機Ｃの使用が可能となり、危険を伴う雪上でのジャッキアップが不要であるため、底面Ｕの洗浄作業が円滑に行える。
【００４２】
また、走行回転体１０は、転動自在かつ水平旋回自在として平面上を前後左右斜め方向に走行自在な転動体１２，１２から成るので、前後左右斜め方向へ走行可能となる。
また、走行回転体１０は、前後方向に走行自在な車輪１３，１３から成るので、凹凸のある悪路面上でも安定した前後直線走行が可能となる。
【符号の説明】
【００４３】
１（１Ａ，１Ｂ）  洗浄ヘッド
２（２Ａ，２Ｂ）  長柄部材
３  滑動板部材
５  洗浄手段
６  グリップ部
７  支持ローラ
１０  走行回転体
１２  転動体
１３  車輪
２０  前半水平配管部
Ｈ２０  高さ寸法
Ｌ２０  長さ寸法
２１  後半傾斜配管部
Ｈ２１  高さ寸法
２２  連結部
Ｖ  車両
Ｗ  幅寸法
Ｕ  底面
Ｍ  人
Ｉ  雪面
【図１】
2010285031.tif 000003
【図２】
2010285031.tif 000004
【図３】
2010285031.tif 000005
【図４】
2010285031.tif 000006
【図５】
2010285031.tif 000007
【図６】
2010285031.tif 000008
【図７】
2010285031.tif 000009
【図８】
2010285031.tif 000010
【図９】
2010285031.tif 000011
【図１０】
2010285031.tif 000012
【図１１】
2010285031.tif 000013
【図１２】
2010285031.tif 000014
【図１３】
2010285031.tif 000015
【図１４】
2010285031.tif 000016
【図１５】
2010285031.tif 000017
【図１６】
2010285031.tif 000018
【図１７】
2010285031.tif 000019